(57)【要約】【課題】サステインパルス数を増加して高輝度を実現し、かつサブフィールド数の増加により階調数を増やして画質を向上させることができるプラズマディスプレイ装置を提供する。【解決手段】プラズマディスプレイ装置において、駆動シーケンス中のアドレス期間を短縮するために、Ｙ電極群を覆う保護膜上にはＭｇＯ、ＳｒＯ、ＣａＯ、ＢａＯの何れかの単結晶である機能性粉体が配置されており、駆動シーケンスは、Ｙ電極（Ｙ）が陽極となる微弱な放電を行う第２の駆動シーケンスと、Ｙ電極（Ｙ）が陰極となる放電の有無により点灯画素の選択を行う第３の駆動シーケンスとを含み、これらの駆動シーケンスが時間的に順次に連続して行われる。これにより、アドレス放電遅れが短縮するため、余った時間を輝度上昇や階調数増加に振り分けることを可能にする。【選択図】図５
2009168994.tif 000002
【特許請求の範囲】
【請求項１】
少なくとも互いに交差する第１の電極群と第２の電極群とを備え、少なくとも前記第１の電極群は誘電体層と保護膜とに覆われており、前記第１の電極群と前記第２の電極群との各交点が一つの画素となるプラズマディスプレイパネルと、
前記プラズマディスプレイパネルの前記第１の電極群と前記第２の電極群とを駆動する駆動回路とを有し、
前記保護膜上には、ＭｇＯ、ＳｒＯ、ＣａＯ、ＢａＯの何れかの単結晶である機能性粉体が配置されており、
前記駆動回路による前記プラズマディスプレイパネルの駆動シーケンスは、前記第１の電極群の少なくとも１本の第１の電極が陽極となる微弱な放電を行う第２の駆動シーケンスと、前記第１の電極が陰極となる放電の有無により点灯画素の選択を行う第３の駆動シーケンスとを含み、前記第２の駆動シーケンスと前記第３の駆動シーケンスとが時間的に順次に連続して行われる駆動シーケンスであることを特徴とするプラズマディスプレイ装置。
【請求項２】
請求項１記載のプラズマディスプレイ装置において、
前記第２の駆動シーケンスは、前記第１の電極と、前記第１の電極と同一画素内に配置された前記第２の電極群の第２の電極との間に、前記第１の電極が陽極となり、前記第２の電極が陰極となる鈍波あるいはランプ波形を印加することで微弱放電を発生させる駆動シーケンスであることを特徴とするプラズマディスプレイ装置。
【請求項３】
請求項２記載のプラズマディスプレイ装置において、
前記第２の駆動シーケンスの直前に、前記第１の電極と前記第２の電極との間に、前記第１の電極が陰極となり、前記第２の電極が陽極となる鈍波あるいはランプ波形を印加することで微弱放電を発生させる第１の駆動シーケンスを含むことを特徴とするプラズマディスプレイ装置。
【請求項４】
請求項３記載のプラズマディスプレイ装置において、
前記第１の駆動シーケンスで前記第１の電極に印加する陰極電圧の絶対値は、前記第３の駆動シーケンスで前記第１の電極に印加する陰極電圧の絶対値より大きく、その電圧差が少なくとも５０Ｖ以上であることを特徴とするプラズマディスプレイ装置。
【請求項５】
請求項１記載のプラズマディスプレイ装置において、
前記プラズマディスプレイパネルには、前記第１の電極群と１本毎に平行に第３の電極群が配置され、
前記駆動回路は、前記第３の電極群を駆動し、
前記第２の駆動シーケンスは、前記第１の電極と、前記第１の電極と同一画素内に配置された前記第３の電極群の第３の電極との間に、前記第１の電極が陽極となり、前記第３の電極が陰極となる鈍波あるいはランプ波形を印加することで微弱放電を発生させる駆動シーケンスであることを特徴とするプラズマディスプレイ装置。
【請求項６】
請求項５記載のプラズマディスプレイ装置において、
前記第２の駆動シーケンスの直前に、前記第１の電極と前記第３の電極との間に、前記第１の電極が陰極となり、前記第３の電極が陽極となる鈍波あるいはランプ波形を印加することで微弱放電を発生させる第１の駆動シーケンスを含むことを特徴とするプラズマディスプレイ装置。
【請求項７】
請求項６記載のプラズマディスプレイ装置において、
前記第１の駆動シーケンスで前記第１の電極に印加する陰極電圧の絶対値は、前記第３の駆動シーケンスで前記第１の電極に印加する陰極電圧の絶対値より大きく、その電圧差が少なくとも５０Ｖ以上であることを特徴とするプラズマディスプレイ装置。
【発明の詳細な説明】
【技術分野】
【０００１】
本発明は、プラズマディスプレイ装置に関し、特に、プラズマディスプレイパネルの駆動シーケンスに適用して有効な技術に関する。
【背景技術】
【０００２】
本発明者が検討したところによれば、プラズマディスプレイパネルの駆動シーケンスに関しては、たとえば特許文献１に記載のように、１つのサブフィールドが、リセット期間、アドレス期間、サステイン期間の３つから構成される。１つのフィールドは、たとえばサステイン期間の長さが異なる複数個のサブフィールドが連続して構成される。１つのフィールドは、１枚の絵を構成し、１秒間に６０枚のフィールドが連続することでＴＶ動画が形成される。また、特許文献２には、サブフィールドの長さを短縮させる技術が記載されている。
【特許文献１】特許第３３９４０１０号公報
【特許文献２】特開２００６−１８９８６４号公報
【発明の開示】
【発明が解決しようとする課題】
【０００３】
ところで、前記特許文献１のようなプラズマディスプレイパネルの駆動シーケンスにおいて、プラズマディスプレイパネルの明るさはサステイン期間におけるサステインパルス数に略比例する。一方、プラズマディスプレイパネルの画質の滑らかさを表現するためには、階調数を増加させる必要があり、この階調数はサブフィールド数に依存する。従来のプラズマディスプレイパネルでは、駆動シーケンスが時間いっぱいに設計されており、階調を削って輝度を上げるか、輝度を削って階調を上げるほかなかった。明るさ、階調数の少なくとも一方を、もう片方の犠牲無く改善させるのが本発明の課題である。また、前記特許文献２の技術は、プリリセット期間のＹ電極に印加する陰極電圧（−Ｖ１）とスキャン時の陰極電圧（−Ｖｙ）の各電圧値まで特定するものではない。
【０００４】
そこで、本発明の目的は、サステインパルス数を増加して高輝度を実現し、かつサブフィールド数の増加により階調数を増やして画質を向上させることができるプラズマディスプレイ装置を提供することにある。
【０００５】
本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
すなわち、代表的なものの概要は、駆動シーケンス中のアドレス期間を短縮するために、互いに交差する第１の電極群と第２の電極群とを備えたプラズマディスプレイパネルの構成において、第１の電極群を覆う保護膜上にはＭｇＯ、ＳｒＯ、ＣａＯ、ＢａＯの何れかの単結晶である機能性粉体が配置されており、駆動シーケンスは、第１の電極が陽極となる微弱な放電を行う第２の駆動シーケンスと、第１の電極が陰極となる放電の有無により点灯画素の選択を行う第３の駆動シーケンスとを含み、これらの駆動シーケンスが時間的に順次に連続して行われる。これにより、アドレス放電遅れが短縮するため、余った時間を輝度上昇や階調数増加に振り分けることを可能にするものである。
【０００８】
さらに、第１の電極群と第２の電極群とに加え、第１の電極群と１本毎に平行に第３の電極群が配置されたプラズマディスプレイパネルの構成においても、同様の駆動シーケンスを適用することで、アドレス放電遅れが短縮するため、余った時間を輝度上昇や階調数増加に振り分けることを可能にするものである。
【発明の効果】
【０００９】
本願において開示される発明のうち、代表的なものによって得られる効果を簡単に説明すれば以下のとおりである。
【００１０】
すなわち、代表的なものによって得られる効果は、アドレス放電遅れを短縮することで時間に余裕ができ、その分をサステインパルス数の増加やサブフィールド数の増加に割り当てることができるので、サステインパルス数を増加して高輝度を実現し、かつサブフィールド数の増加により階調数を増やして画質を向上させることができる。
【発明を実施するための最良の形態】
【００１１】
以下、本発明の実施の形態を図面に基づいて詳細に説明する。なお、実施の形態を説明するための全図において、同一の部材には原則として同一の符号を付し、その繰り返しの説明は省略する。
【００１２】
〔本発明の実施の形態の概要〕
本発明の実施の形態では、駆動シーケンス中のアドレス期間を短縮することによって課題を解決する。アドレス期間は、１行１行のスキャン時間の合計であり、全体の時間短縮のためには、１回のスキャン時間を短縮する必要がある。１回のスキャン時間は、アドレス電圧パルスを入れてから放電を開始するまでの時間差によって規定されている。前記時間差は放電遅れという名称で知られている。
【００１３】
本発明者は、様々なリセット波形を用いた場合の放電遅れを調査した。その結果、アドレスの直前のリセットとして、従来のＹ電極にマイナスのランプ波形を入れたものよりも、Ｙ電極にプラスのランプ波形を入れた方が放電遅れが短いことが判明した。さらに、アドレス直前にＹ電極上の保護膜に電子を溜めることで、アドレス放電遅れを短縮できることが分かった。
【００１４】
以上の本発明の実施の形態の概要に基づいた、本発明の各実施の形態を具体的に説明する。
【００１５】
〔第１の実施の形態〕
図１〜図７により、本発明の第１の実施の形態のプラズマディスプレイ装置を説明する。なお、本実施の形態においては、本発明の特徴を分かりやすくするために、従来技術と比較しながら説明する。
【００１６】
＜プラズマディスプレイパネルの構成＞
図１により、プラズマディスプレイパネルの構成の一例を説明する。また、図２は、プラズマディスプレイパネルの保護膜上に機能性粉体を配置した構造の一例を示す。
【００１７】
プラズマディスプレイパネル１は、前面板１０と背面板２０を組み合わせて形成され、これらを密閉して内部にＮｅ、Ｘｅを主成分とするガスが３５０−５００Ｔｏｒｒの圧力で封入されている。
【００１８】
前面板１０は、ガラス基板１１上に透明電極１４と、高導電率の金属バス電極１５を組み合わせてなるＸ電極（Ｘ）、Ｙ電極（Ｙ）がペアで複数分平行に配置され、１組のＸ電極（Ｘ）、Ｙ電極（Ｙ）が１テレビ走査線となる。Ｘ電極（Ｘ）、Ｙ電極（Ｙ）は誘電体層１７で覆われ、さらにその上は保護膜１８で覆われる。誘電体層１７は、低融点ガラスが用いられる。保護膜１８は、蒸着法で形成するＭｇＯを用いるのが一般的である。
【００１９】
特に、この前面板１０は、図２に示すように、保護膜１８上に、機能性粉体４０をまばらに配置した構造となっている。この機能性粉体４０は、ＭｇＯ、ＳｒＯ、ＣａＯ、ＢａＯの何れかの単結晶粉である。
【００２０】
一方、背面板２０は、ガラス基板２１上にアドレス電極（Ａ）が複数本、Ｘ電極（Ｘ）、Ｙ電極（Ｙ）とは交差する方向に形成される。これらは誘電体層２２で覆われ、その上に放電を仕切るための隔壁２３が形成される。隔壁２３と隔壁２３の間には、赤色（Ｒ）、緑色（Ｇ）、青色（Ｂ）の３種類の赤色蛍光体２４、緑色蛍光体２５、青色蛍光体２６が形成される。
【００２１】
このように構成されるプラズマディスプレイパネル１では、Ｘ電極（Ｘ）とＹ電極（Ｙ）の各ペアで挟まれた領域で、アドレス電極（Ａ）との各交点領域が一つの画素となり、隣接する赤色（Ｒ）、緑色（Ｇ）、青色（Ｂ）の３種類で１セットとなる。
【００２２】
このプラズマディスプレイパネル１は、プラズマディスプレイ装置において、例えば、ベースシャーシの表面側に取り付けられ、このベースシャーシの裏面側にはプラズマディスプレイパネル１の各電極群を駆動する駆動回路が取り付けられる。この駆動回路には、複数のＸ電極（Ｘ）からなるＸ電極群を駆動するＸ電極駆動回路、複数のＹ電極（Ｙ）からなるＹ電極群を駆動するＹ電極駆動回路、複数のアドレス電極（Ａ）からなるアドレス電極群を駆動するアドレス電極駆動回路がある。そして、これらの駆動回路により、後述する駆動シーケンスが実現される。
【００２３】
＜プラズマディスプレイパネルの駆動シーケンス＞
図３により、プラズマディスプレイパネルの駆動シーケンスの一例を説明する。
【００２４】
１つのサブフィールドは、リセット期間、アドレス期間、サステイン期間の３つから構成される。ここでは、サステイン期間の長さが異なる１０のサブフィールドが連続して１つのフィールドを構成する例を示している。１つのフィールドは、１枚の絵を構成し、１秒間に６０枚のフィールドが連続することでＴＶ動画が形成される。実際の製品では、１つのフィールドに何個のサブフィールドが入るかは、機種によって異なる。
【００２５】
＜本実施の形態に対する従来技術の駆動波形＞
図４により、本実施の形態に対する従来技術の駆動波形の一例を説明する。
【００２６】
ここで、第１サブフィールドは大規模リセットを用い、第２−１０サブフィールドでは小規模のリセットを用いているが、これはコントラストと駆動マージンの両立を行うのが目的である。
【００２７】
第１サブフィールドのリセット期間は、まず、Ｘ電極（Ｘ）を０Ｖ、アドレス電極（Ａ）を０Ｖの状態で、Ｙ電極（Ｙ）に１８０Ｖから４００Ｖまで徐々に変化するランプ波形を入れる。次に、Ｘ電極（Ｘ）を５０Ｖ、Ｙ電極（Ｙ）を０Ｖにした後、Ｙ電極（Ｙ）に０Ｖから−２００Ｖまで徐々に変化するランプ波形を入れる。
【００２８】
第１サブフィールドのアドレス期間は、Ｙ電極（Ｙ）に−１００Ｖ、Ｘ電極（Ｘ）を５０Ｖ、アドレス電極（Ａ）を０Ｖとし、画面上の１行に対応するＹ電極（Ｙ）を順に−２２０Ｖまで下げてスキャンを行い、スキャンの瞬間に点灯したい列のアドレス電極（Ａ）に６０Ｖの電圧を印加することで、選択セルと非選択セルの書込みを行う。選択セルでは、アドレス電極（Ａ）−Ｙ電極（Ｙ）間で放電が発生し、アドレス電極（Ａ）およびＸ電極（Ｘ）上にマイナス、Ｙ電極（Ｙ）上にプラスの壁電荷が蓄積される。
【００２９】
第１サブフィールドのサステイン期間は、最初にＹ電極（Ｙ）に１８０Ｖ、Ｘ電極（Ｘ）に０Ｖ、アドレス電極（Ａ）に０Ｖの電圧パルスを印加する。アドレス期間に壁電荷が蓄積されたセルでは、最初のパルスで放電を開始し、サステイン期間中放電し続ける。アドレス期間で選択されなかったセルは、放電しない。その後、一定周期でＹ電極（Ｙ）とＸ電極（Ｘ）に０Ｖと１８０Ｖのパルスを交互に印加し、最後にＹ電極（Ｙ）に１８０Ｖ、Ｘ電極（Ｘ）に０Ｖのパルスを印加する。
【００３０】
第２−第１０サブフィールドのリセット期間は、Ｘ電極（Ｘ）を５０Ｖ、アドレス電極（Ａ）を０Ｖの状態で、Ｙ電極（Ｙ）に０Ｖから−２００Ｖまで徐々に変化するランプ波形を入れる。
【００３１】
第２−第１０サブフィールドのアドレス期間は、第１サブフィールドと全く同じである。
【００３２】
第２−第１０サブフィールドのサステイン期間は、第１サブフィールドと全く同じである。なお、第１０サブフィールドのみ、最後にＸ電極（Ｘ）に１８０Ｖ、Ｙ電極（Ｙ）に０Ｖのパルスを印加する。
【００３３】
この従来技術の駆動波形では、駆動シーケンスが時間いっぱいに設計されており、明るさ、階調数の少なくとも一方を、もう片方の犠牲無く改善させることができなかった。そこで、本実施の形態では、以下において説明する駆動波形を適用することで、この課題を解決することができる。
【００３４】
＜本実施の形態の駆動波形＞
図５により、本実施の形態の駆動波形の一例を説明する。
【００３５】
ここで、第１サブフィールドは大規模リセットを用い、第２−１０サブフィールドでは小規模のリセットを用いているが、これはコントラストと駆動マージンの両立を行うのが目的である。
【００３６】
第１サブフィールドのリセット期間は、まず、第１の駆動シーケンスとして、Ｘ電極（Ｘ）を０Ｖ、アドレス電極（Ａ）を０Ｖの状態で、Ｙ電極（Ｙ）に０Ｖから−３００Ｖまで徐々に変化するランプ波形を入れる。次に、第２の駆動シーケンスとして、Ｘ電極（Ｘ）を−５０Ｖ、Ｙ電極（Ｙ）を０Ｖにした後、Ｙ電極（Ｙ）に０Ｖから２００Ｖまで徐々に変化するランプ波形を入れる。
【００３７】
第１サブフィールドのアドレス期間は、第３の駆動シーケンスとして、Ｙ電極（Ｙ）に−１００Ｖ、Ｘ電極（Ｘ）を５０Ｖ、アドレス電極（Ａ）を０Ｖとし、画面上の１行に対応するＹ電極（Ｙ）を順に−２２０Ｖまで下げてスキャンを行い、スキャンの瞬間に点灯したい列のアドレス電極（Ａ）に６０Ｖの電圧を印加することで、選択セルと非選択セルの書込みを行う。選択セルでは、アドレス電極（Ａ）−Ｙ電極（Ｙ）間で放電が発生し、アドレス電極（Ａ）およびＸ電極（Ｘ）上にマイナス、Ｙ電極（Ｙ）上にプラスの壁電荷が蓄積される。
【００３８】
第１サブフィールドのサステイン期間は、最初にＹ電極（Ｙ）に１８０Ｖ、Ｘ電極（Ｘ）に０Ｖ、アドレス電極（Ａ）に０Ｖの電圧パルスを印加する。アドレス期間に壁電荷が蓄積されたセルでは、最初のパルスで放電を開始し、サステイン期間中放電し続ける。アドレス期間で選択されなかったセルは、放電しない。その後、一定周期でＹ電極（Ｙ）とＸ電極（Ｘ）に０Ｖと１８０Ｖのパルスを交互に印加し、最後にＹ電極（Ｙ）に１８０Ｖ、Ｘ電極（Ｘ）に０Ｖのパルスを印加する。
【００３９】
第２−第１０サブフィールドのリセット期間は、Ｘ電極（Ｘ）を−５０Ｖ、アドレス電極（Ａ）を０Ｖの状態で、Ｙ電極（Ｙ）に０Ｖから２００Ｖまで徐々に変化するランプ波形を入れる（第２の駆動シーケンス）。
【００４０】
第２−第１０サブフィールドのアドレス期間は、第１サブフィールドと全く同じである（第３の駆動シーケンス）。
【００４１】
第２−第１０サブフィールドのサステイン期間は、第１サブフィールドと全く同じである。なお、第１０サブフィールドのみ、最後にＸ電極（Ｘ）に１８０Ｖ、Ｙ電極（Ｙ）に０Ｖのパルスを印加する。
【００４２】
このように、本実施の形態の駆動波形では、第１サブフィールド、第２−第１０サブフィールドでは、第２の駆動シーケンスにおいて、同一画素内に配置されたＹ電極（Ｙ）とＸ電極（Ｘ）との間に、Ｙ電極（Ｙ）が陽極となり、Ｘ電極（Ｘ）が陰極となるランプ波形を印加することで微弱放電を発生させる。そして、第３の駆動シーケンスにおいて、Ｙ電極（Ｙ）が陰極となる放電の有無により点灯画素の選択を行う。これらの第２、第３の駆動シーケンスを時間的に順次に連続して行う。また、第１サブフィールドでは、第１の駆動シーケンスにおいて、Ｙ電極（Ｙ）とＸ電極（Ｘ）との間に、Ｙ電極（Ｙ）が陰極、Ｘ電極（Ｘ）が陽極となるランプ波形を印加することで微弱放電を発生させる。なお、ランプ波形の代わりに、鈍波波形を印加することも可能である。
【００４３】
特に、第１サブフィールドにおいては、第１の駆動シーケンスでＹ電極（Ｙ）に印加する陰極電圧（−３００Ｖ）の絶対値は、第３の駆動シーケンスでＹ電極（Ｙ）に印加する陰極電圧（−２２０Ｖ）の絶対値よりも大きくする。必要な電圧差は、少なくとも５０Ｖ以上は必要で、好ましくは本実施の形態のように８０Ｖが必要である。さらに好ましくは２００Ｖが必要である。このような電圧差が必要な理由は、第３の駆動シーケンスにおけるスキャンの電圧の方が第１の駆動シーケンスの電圧より浅い電圧でないと、非選択セルの誤点灯の原因となるためである。
【００４４】
＜本実施の形態の効果＞
図６により、本実施の形態の効果を本実施の形態に対する従来技術と比較して説明する。
【００４５】
本発明者は、駆動シーケンス中のアドレス期間を短縮することによって課題を解決するため、様々なリセット波形を用いた場合の放電遅れを調査した。その結果、アドレス期間の直前のリセットとして、従来技術のようにＹ電極（Ｙ）にマイナスのランプ波形を入れたものよりも、本実施の形態のようにＹ電極（Ｙ）にプラスのランプ波形を入れた方が放電遅れが短いことが判明した。リセットにおける微弱放電後、一定経過時間（休止時間）後のアドレスパルスにおける放電遅れの比較の一例を図６に示す。
【００４６】
アドレス期間では、１ライン目のスキャンはリセット後の経過時間が数十マイクロ秒だが、１０８０ライン目の経過時間は、アドレスパルス幅が１マイクロ秒の場合は１．０８ミリ秒となる。一般的なプラズマディスプレイパネルのアドレスパルス幅は、１．３−１．７マイクロ秒である。図６における△印は従来技術の駆動波形（図４）の大規模リセット波形を用いた場合（従来波形）のプロット、▲印は本実施の形態における駆動波形（図５）の大規模リセット波形を用い、かつ機能性粉体を配置した構造（図２）の場合（新波形＋機能性粉体）のプロットである。本実施の形態によれば、アドレス放電遅れを１０−３０％短縮することが可能である。なお、○印は従来技術の駆動波形（図４）の大規模リセット波形を用い、かつ機能性粉体を配置した構造（図２）の場合（従来波形＋機能性粉体）のプロット、●印は本実施の形態における駆動波形（図５）の大規模リセット波形のみを用いた場合（新波形）のプロットである。
【００４７】
なお、このアドレス放電遅れの短縮について考えられる原理の一例を図７に示す。従来技術のリセットでは、Ｙ電極（Ｙ）にマイナスの電圧がかかっているために、電極を覆う保護膜１８に対して、イオン３０が衝突し、中から２次電子（ｅ）が放出される。このため、Ｙ電極（Ｙ）上の保護膜１８は電子が欠落し、ホールリッチな状態になる。この状態でアドレスパルスを印加した場合には、Ｙ電極（Ｙ）から自発的に飛び出す電子の数が少なく、プライミング不足となって、アドレス放電遅れが大きい。
【００４８】
一方、本実施の形態によれば、リセット時にＹ電極（Ｙ）にプラスの電圧がかかっているため、リセット直後はＹ電極（Ｙ）を覆う保護膜１８上に電子（ｅ）があふれた状態になる。この後、アドレスパルスを印加すると、保護膜１８の中から自発的に電子が飛び出し、プライミング源となって、放電遅れが小さくなる。この効果は、機能性粉体４０が配置されていることで、より顕著となる。これは、機能性粉体４０がリセット時に電子を溜めやすい性質を有しているためである。
【００４９】
このように、本実施の形態によれば、アドレス期間直前にＹ電極（Ｙ）上の保護膜１８に電子を溜めることでアドレス放電遅れを短縮することができる。この結果、アドレス放電遅れが短縮することで時間に余裕ができ、その分をサステインパルス数の増加に割り当てれば高輝度なプラズマディスプレイ装置を実現することができる。また、余分な時間をサブフィールド数の増加に割り当てれば、階調数が増えて画質を向上させることができる。また、本実施の形態においては、特に前記特許文献２と比べても、第３の駆動シーケンスにおけるスキャンの電圧の方を第１の駆動シーケンスの電圧より浅い電圧に設定していることで、非選択セルが誤点灯することもない。
【００５０】
〔第２の実施の形態〕
図８により、本発明の第２の実施の形態のプラズマディスプレイ装置を説明する。本実施の形態は、互いに交差する複数のＹ電極からなるＹ電極群と複数のアドレス電極からなるアドレス電極群とに着目したプラズマディスプレイパネルに適用した例である。
【００５１】
なお、プラズマディスプレイパネルの構成は前記第１の実施の形態で図１に示したものと同じであり、プラズマディスプレイパネルの保護膜上に機能性粉体を配置した構造も図２に示したものと同じである。さらに、駆動シーケンスも図３に示したものと同じであり、駆動波形も図５に示したものと同じである。
【００５２】
ただし、本実施の形態においては、Ｘ電極（Ｘ）、Ｙ電極（Ｙ）、アドレス電極（Ａ）の配置において、Ｙ電極（Ｙ）とアドレス電極（Ａ）との間の距離が、Ｙ電極（Ｙ）とＸ電極（Ｘ）との間の距離よりも近い場合に適用したものである。
【００５３】
本実施の形態におけるアドレス放電遅れの短縮について考えられる原理の一例を図８に示す。図８では、Ｙ電極（Ｙ）に２００Ｖ、Ｘ電極（Ｘ）に−５０Ｖ、アドレス電極（Ａ）に０Ｖが印加されている。Ｙ電極（Ｙ）−Ｘ電極（Ｘ）間の電位差は２５０Ｖ、Ｙ電極（Ｙ）−アドレス電極（Ａ）間の電位差は２００Ｖであるが  Ｙ電極（Ｙ）−アドレス電極（Ａ）間距離がＹ電極（Ｙ）−Ｘ電極（Ｘ）間距離より近い場合には、Ｙ電極（Ｙ）−アドレス電極（Ａ）間の電界はＹ電極（Ｙ）−Ｘ電極（Ｘ）間より大きくなるため、イオン３０はアドレス電極（Ａ）側に捕獲されやすくなる。
【００５４】
すなわち、本実施の形態の駆動波形（図５参照）では、第１サブフィールド、第２−第１０サブフィールドでは、第２の駆動シーケンスにおいて、同一画素内に配置されたＹ電極（Ｙ）とアドレス電極（Ａ）との間に、Ｙ電極（Ｙ）が陽極となり、アドレス電極（Ａ）が陰極となる鈍波あるいはランプ波形を印加することで微弱放電を発生させる。そして、第３の駆動シーケンスにおいて、Ｙ電極（Ｙ）が陰極となる放電の有無により点灯画素の選択を行う。これらの第２、第３の駆動シーケンスを時間的に順次に連続して行う。また、第１サブフィールドでは、第１の駆動シーケンスにおいて、Ｙ電極（Ｙ）とアドレス電極（Ａ）との間に、Ｙ電極（Ｙ）が陰極、アドレス電極（Ａ）が陽極となる鈍波あるいはランプ波形を印加することで微弱放電を発生させる。
【００５５】
このように、本実施の形態においても、前記第１の実施の形態と同様に、アドレス期間直前にＹ電極（Ｙ）上の保護膜１８に電子を溜めることでアドレス放電遅れを短縮することができるので、この余裕ができた分をサステインパルス数の増加に割り当てれば高輝度なプラズマディスプレイ装置を実現することができ、また、余分な時間をサブフィールド数の増加に割り当てれば階調数が増えて画質を向上させることができる。
【００５６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５７】
本発明のプラズマディスプレイ装置は、特に、プラズマディスプレイパネルの駆動シーケンスに適用して有効であり、さらにプラズマテレビという名前で呼ばれている民生用のテレビジョン受像機などに広く利用することができる。
【図面の簡単な説明】
【００５８】
【図１】本発明の第１の実施の形態のプラズマディスプレイ装置において、プラズマディスプレイパネルの構成の一例を示す図である。
【図２】本発明の第１の実施の形態のプラズマディスプレイ装置において、前面板の保護膜上に機能性粉体を配置した構造の一例を示す図である。
【図３】本発明の第１の実施の形態のプラズマディスプレイ装置において、プラズマディスプレイパネルの駆動シーケンスの一例を示す図である。
【図４】本発明の第１の実施の形態に対する従来技術の駆動波形の一例を示す図である。
【図５】本発明の第１の実施の形態のプラズマディスプレイ装置において、駆動波形の一例を示す図である。
【図６】本発明の第１の実施の形態と従来技術との効果の比較において、リセットからの経過時間（休止時間）に対する放電遅れの一例を示す図である。
【図７】本発明の第１の実施の形態と従来技術との比較において、アドレス放電遅れの短縮について考えられる原理の一例を示す図である。
【図８】本発明の第２の実施の形態と従来技術との比較において、アドレス放電遅れの短縮について考えられる原理の一例を示す図である。
【符号の説明】
【００５９】
１…プラズマディスプレイパネル、１０…前面板、１１…ガラス基板、１４…透明電極、１５…金属バス電極、１７…誘電体層、１８…保護膜、２０…背面板、２１…ガラス基板、２２…誘電体層、２３…隔壁、２４…赤色蛍光体、２５…緑色蛍光体、２６…青色蛍光体、３０…イオン、４０…機能性粉体。
【図１】
2009168994.tif 000003
【図２】
2009168994.tif 000004
【図３】
2009168994.tif 000005
【図４】
2009168994.tif 000006
【図５】
2009168994.tif 000007
【図６】
2009168994.tif 000008
【図７】
2009168994.tif 000009
【図８】
2009168994.tif 000010